(57)【要約】【課題】局間でＴＳを効率良く伝送することを可能とする。【解決手段】送信装置１にパケットカウンタ１２を設け、入力されるＴＳの全てのパケット数をカウントする。カウント値多重部１３では、少なくともＰＣＲパケットのカウント値をそのＰＣＲパケットに多重する。さらに、ヌルパケット破棄部１４において上記ＴＳのヌルパケットを破棄することによりデータ量を削減して受信装置に送信する。受信装置２のパケット復元部２２では、このＰＣＲパケットにカウンタ値が多重され、ヌルパケットが破棄されたＴＳからＰＣＲパケットに多重されたカウント値を抽出し、このカウント値をもとにヌルパケットを補完することでＰＣＲパケットの多重位置を再配置して、前記ヌルパケットが破棄される前と同等のＴＳを復元する。【選択図】図１
2007251870.tif 000002
【特許請求の範囲】
【請求項１】
送信装置と、前記送信装置と接続される受信装置とを具備する局間伝送システムであって、
前記送信装置は、
ＴＳ（Transport Stream）を入力する入力手段と、
前記入力されたＴＳの全てのパケット数をカウントするカウンタと、
前記カウンタにより出力されるＰＣＲ（Program Clock Reference）パケットのカウント値をそのＰＣＲパケットの所定の位置に多重する多重手段と、
前記ＴＳからヌルパケットを破棄する破棄手段と、
前記ＰＣＲパケットにカウンタ値が多重され、ヌルパケットが破棄されたＴＳのパケットを連続的に受信装置に向け送信する手段と
を備え、
前記受信装置は、
前記送信装置により送信されたＴＳを受信する受信手段と、
前記受信されたＴＳのＰＣＲパケットからカウント値を抽出する抽出手段と、
前記抽出されたカウント値に基づいて前記受信されたＴＳのＰＣＲパケットの多重位置を再配置し、前記ヌルパケットが破棄される前と同等のＴＳを復元する復元手段と
を備えることを特徴とする局間伝送システム。
【請求項２】
前記多重手段は、前記カウンタにより出力されるヌルパケットを除くパケットのカウント値をＰＣＲパケットの所定の位置に多重することを特徴とする請求項１記載の局間伝送システム。
【請求項３】
ＴＳを入力する入力手段と、
前記入力されたＴＳの全てのパケット数をカウントするカウンタと、
前記カウンタにより出力されるＰＣＲ（Program Clock Reference）パケットのカウント値をそのＰＣＲパケットの所定の位置に多重する多重手段と、
前記ＴＳからヌルパケットを破棄する破棄手段と、
前記ＰＣＲパケットにカウンタ値が多重され、ヌルパケットが破棄されたＴＳのパケットを連続的に受信装置に向け送信する手段と
を具備することを特徴とする送信装置。
【請求項４】
前記多重手段は、前記カウンタにより出力されるヌルパケットを除くパケットのカウント値をＰＣＲパケットの所定の位置に多重することを特徴とする請求項３記載の送信装置。
【請求項５】
ＰＣＲパケットの所定の位置にカウント値が多重され、ヌルパケットが破棄されたＴＳを受信する手段と、
前記受信されたＴＳのＰＣＲパケットからカウント値を抽出する抽出手段と、
前記抽出されたカウント値に基づいて前記受信されたＴＳのＰＣＲパケットの多重位置を再配置し、前記ヌルパケットが破棄される前と同等のＴＳを復元する復元手段と
を具備することを特徴とする受信装置。
【請求項６】
送信装置と、前記送信装置と接続される受信装置とを具備する局間伝送システムで用いられ、
前記送信装置において、
ＴＳを入力し、
前記入力されたＴＳの全てのパケット数をカウントし、
前記カウンタにより出力されるＰＣＲ（Program Clock Reference）パケットのカウント値をそのＰＣＲパケットの所定の位置に多重し、
前記ＴＳからヌルパケットを破棄し、
前記ＰＣＲパケットにカウンタ値が多重され、ヌルパケットが破棄されたＴＳのパケットを連続的に受信装置に向け送信し、
前記受信装置において、
前記送信装置により送信されたＴＳを受信し、
前記受信されたＴＳのＰＣＲパケットからカウント値を抽出し、
前記抽出されたカウント値に基づいて前記受信されたＴＳのＰＣＲパケットの多重位置を再配置し、前記ヌルパケットが破棄される前と同等のＴＳを復元することを特徴とする局間伝送方法。
【請求項７】
前記多重手段は、前記カウンタにより出力されるヌルパケットを除くパケットのカウント値をＰＣＲパケットの所定の位置に多重することを特徴とする請求項６記載の局間伝送方法。
【発明の詳細な説明】
【技術分野】
【０００１】
この発明は、例えば、デジタル放送用のＴＳを放送局間で伝送する局間伝送システム、送信装置、受信装置、及び局間伝送方法に関する。
【背景技術】
【０００２】
放送局から送出されるＴＳ（Transport Stream）は、放送の規格に従った構成であるため、無効なヌルパケットを多く含んでいる。このため、放送局間などでＴＳを伝送する際に、無効なヌルパケットが伝送され伝送効率が低下してしまう。
【０００３】
なお、録画装置において破棄されたパケット数も同時に記録し、データを再生するときに破棄されたパケット数分のヌルパケットを挿入することでＴＳを再現する手法が提案されている（例えば、特許文献１を参照。）。
【特許文献１】特許第３６５００１８号公報
【発明の開示】
【発明が解決しようとする課題】
【０００４】
上記述べたように、局間でＴＳを伝送する際に、無効なヌルパケットが多く含まれているため、伝送効率が低下してしまう。しかしながら、ヌルパケットを破棄してしまうと、ＰＣＲ（Program Clock Reference）パケットの多重位置が変動するため、映像や音声の同期再生のための基準時間となるＳＴＣ（System Time Clock）の再生ができなくなる。
【０００５】
この発明は上記事情に着目してなされたもので、その目的とするところは、効率良くＴＳ伝送を行うことを可能とする伝送システム、送信装置、受信装置、及び局間伝送方法を提供することにある。
【課題を解決するための手段】
【０００６】
上記目的を達成するためにこの発明は、送信装置と、前記送信装置と接続される受信装置とを具備する局間伝送システムであって、前記送信装置は、ＴＳ（Transport Stream）を入力する入力手段と、前記入力されるＴＳの全てのパケット数をカウントするカウンタと、前記カウンタにより出力されるＰＣＲ（Program Clock Reference）パケットのカウント値をそのＰＣＲパケットの所定の位置に多重する多重手段と、前記ＴＳからヌルパケットを破棄する破棄手段と、前記ＰＣＲパケットにカウンタ値が多重され、ヌルパケットが破棄されたＴＳのパケットを連続的に受信装置に向け送信する手段とを備え、前記受信装置は、前記送信装置により送信されたＴＳを受信する受信手段と、前記受信されたＴＳのＰＣＲパケットからカウント値を抽出する抽出手段と、前記抽出されたカウント値に基づいて前記受信されたＴＳのＰＣＲパケットの多重位置を再配置し、前記ヌルパケットが破棄される前と同等のＴＳを復元する復元手段とを備えることを特徴とする。また、前記多重手段は、前記カウンタにより出力されるヌルパケットを除くパケットのカウント値をＰＣＲパケットの所定の位置に多重することを特徴とする。
【０００７】
上記構成では、送信装置にカウンタを設け入力されるＴＳの全てのパケット数をカウントし、少なくともＰＣＲパケットのカウント値をそのＰＣＲパケットの所定の位置に多重する。さらに、ＴＳに含まれるヌルパケットを破棄することによりデータ量を削減して受信装置に送信する。受信装置では、このＰＣＲパケットにカウンタ値が多重され、ヌルパケットが破棄されたＴＳからＰＣＲパケットに多重されたカウント値を抽出し、このカウント値をもとにＰＣＲパケットの多重位置を再配置して、前記ヌルパケットが破棄される前と同等のＴＳを復元するようにしている。これにより、ＴＳに含まれる無効なヌルパケットを伝送させることがないため、局間でＴＳを効率良く伝送することが可能となる。
【発明の効果】
【０００８】
したがってこの発明によれば、ＴＳを効率良く伝送することを可能とする局間伝送システム、送信装置、受信装置、及び局間伝送方法を提供することができる。
【発明を実施するための最良の形態】
【０００９】
以下、図面を参照しながら本発明の実施の形態を詳細に説明する。  
図１は、この発明に係わる局間伝送システムの一実施形態を示すブロック図である。  
このシステムは、各放送局に設けられる送信装置１と受信装置２とを備え、送信装置１と受信装置２との間が伝送路を介して接続されている。
【００１０】
送信装置１は、入力Ｉ／Ｆ１１と、パケットカウンタ１２と、カウント値多重部１３と、ヌルパケット破棄部１４と、送信部１５と、パケット判定部１６とを備える。  
パケットカウンタ１２は、入力Ｉ／Ｆ１１に入力されるＴＳについて、ヌルパケットも含む全てのパケット数をカウントしカウント値をカウント値多重部１３に出力する。パケット判定部１６は、入力されるＴＳを構成するパケットのＰＩＤ（パケット識別子）等をもとにパケット種類（ＰＣＲ／映像／音声／ヌル）を判定する。カウント値多重部１３は、パケット判定部１６による判定のもと、ヌルパケット以外のカウント値をＴＳの所定の位置に多重する。ここでは、例えば、ＴＳを構成するＰＣＲパケットのａｄａｐｔａｔｉｏｎ＿ｆｉｅｌｄのＰｒｉｖａｔｅ＿Ｂｙｔｅに多重する。ヌルパケット破棄部１４は、カウント値多重部１３から出力されるＴＳに対しパケット判定部１６による判定をもとにヌルパケットを破棄する。送信部１５は、ヌルパケット破棄部１４により出力される送信用ＴＳのパケットを連続的に受信装置２に向け送信する。
【００１１】
受信装置２は、受信部２１と、パケット復元部２２と、ヌルパケット生成部２３と、ＳＴＣ再生部２４と、出力Ｉ／Ｆ２５とを備える。  
受信装置２は、送信装置１から到来する送信用ＴＳを受信部２１において受信し、パケット復元部２２に入力する。パケット復元部２２において入力されたＴＳからＰＣＲパケットを検出し、ａｄａｐｔａｔｉｏｎ＿ｆｉｅｌｄのＰｒｉｖａｔｅ＿Ｂｙｔｅに多重化されたカウント値を抽出する。１つ前に受信したＰＣＲパケットに多重されたカウント値と、今回受信したＰＣＲパケットに多重されたカウント値からＰＣＲパケットの多重位置を復元し、ＳＴＣ補正値を生成する。ＳＴＣ再生部２４は、受信したＴＳのＰＣＲパケットと、生成されたＳＴＣ補正値とを用いてＳＴＣを再生する。そして、このように復元されたＴＳを出力Ｉ／Ｆ２５により出力する。
【００１２】
図２は、本システムで扱われるＴＳパケットの構成の一例を示す図である。  
送信装置１にＴＳが入力されると、パケットカウンタ１２は、ＴＳを構成する全てのパケットの数をカウントする。カウント値多重部１３は、ヌルパケットを除く有効なパケット（ＴＰ１，ＴＰ４，ＴＰ５）のカウント値“１，４，５”を次に出現するＰＣＲパケット（ＴＰ７）のカウント値“７”と共に、ＰＣＲパケット（ＴＰ７）のａｄａｐｔａｔｉｏｎ＿ｆｉｅｌｄのＰｒｉｖａｔｅ＿Ｂｙｔｅに多重する。さらにヌルパケット破棄部１４は、ＰＣＲパケットにカウント値が多重されたＴＳからヌルパケット（ＴＰ２，ＴＰ３，ＴＰ６，ＴＰ８）を抽出し破棄する。このようにして、送信部１５からは、図２に示すように、ＰＣＲパケットにカウント値が多重され、ヌルパケットが破棄された送信用ＴＳが送出される。
【００１３】
一方、受信装置２の受信部２１において上記送信用ＴＳが受信され、パケット復元部２２に入力される。パケット復元部２２において、ＰＣＲパケット（ＴＰ７）のａｄａｐｔａｔｉｏｎ＿ｆｉｅｌｄのＰｒｉｖａｔｅ＿Ｂｙｔｅからカウント値“１，４，５，７”が抽出される。そして、パケット復元部２２は、上記抽出されたカウント値“１，４，５，７”と、１つ前に受信されたＰＣＲパケット（ＴＰ０）のカウント値“０”に基づいて、ヌルパケット生成部２３からヌルパケットを補充してＰＣＲパケットの多重位置を調整し、元のＴＳを復元する。
【００１４】
以上述べたように上記実施形態では、送信装置１にパケットカウンタ１２を設け、入力されるＴＳの全てのパケット数をカウントする。カウント値多重部１３では、ヌルパケットを除く有効なパケットのカウント値を次に受信するＰＣＲパケットに多重する。さらに、ヌルパケット破棄部１４において上記ＴＳのヌルパケットを破棄することによりデータ量を削減して受信装置に送信する。受信装置２のパケット復元部２２では、このＰＣＲパケットにカウンタ値が多重され、ヌルパケットが破棄されたＴＳからＰＣＲパケットに多重されたカウント値を抽出し、このカウント値をもとにヌルパケットを補完することでＰＣＲパケットの多重位置を再配置して、前記ヌルパケットが破棄される前のＴＳを復元している。  
したがってこの実施形態によれば、ＴＳに含まれる無効なヌルパケットを伝送させることがないため、局間でＴＳを効率良く伝送することが可能となる。
【００１５】
なお、この発明は上記実施形態に限定されるものではない。例えば、受信装置において復元されるＴＳは、少なくともＰＣＲパケットの多重位置が一致すればよく、必ずしもヌルパケットが破棄される前のＴＳと同一とならなくても良い。この場合の例を図３に示す。送信装置では、ＰＣＲパケット（ＴＰ０，ＴＰ７）のカウント値のみをそのＰＣＲパケットのａｄａｐｔａｔｉｏｎ＿ｆｉｅｌｄのＰｒｉｖａｔｅ＿Ｂｙｔｅに多重する。そして、受信装置において、ＰＣＲパケット（ＴＰ７）から抽出されたカウント値と、１つ前に受信されたＰＣＲパケット（ＴＰ０）から抽出されたカウント値とに基づいて破棄されたヌルパケット数を算出し、算出されたヌルパケット数のヌルパケットをヌルパケット生成部２３により補充してＰＣＲパケットの多重位置を復元するようにする。このようにしても、ＰＣＲパケットの多重位置を再配置し、ヌルパケットが破棄される前と同等のＴＳを復元することが可能となる。
【００１６】
また、上記実施形態において、カウント値をＰＣＲパケットのａｄａｐｔａｔｉｏｎ＿ｆｉｅｌｄのＰｒｉｖａｔｅ＿Ｂｙｔｅに多重するように構成したが、他の領域を用いるようにしてもよい。その他にも、上記実施形態で述べた局間伝送システムの送信装置１及び受信装置２の構成及び動作手順とその内容についても種々に変形して実施できる。
【００１７】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００１８】
【図１】この発明に係わる局間伝送システムの一実施形態を示すブロック図。
【図２】本システムで扱われるＴＳパケットの構成の一例を示す図。
【図３】本システムで扱われるＴＳパケットの他の構成を示す図。
【符号の説明】
【００１９】
１…送信装置、１１…入力Ｉ／Ｆ、１２…パケットカウンタ、１３…カウント値多重部、１４…ヌルパケット破棄部、１５…送信部、１６…パケット判定部、２…受信装置、…受信部２１、２２…パケット復元部、２３…ヌルパケット生成部、２４…ＳＴＣ再生部、２５…出力Ｉ／Ｆ。
【図１】
2007251870.tif 000003
【図２】
2007251870.tif 000004
【図３】
2007251870.tif 000005